(57)【要約】【課題】遮音性能及び耐火性能が優れた間仕切システムを提供する。【解決手段】壁（５０）及び開口された開口部（６０）が間に形成される互いに隣接した一対の部屋において開口部を塞ぐための間仕切システム（１００）は、周囲に遮音パッキン（１１１）を有し開口部を塞ぐための仕切パネル（１１０）と、壁に設置され仕切パネルを収納する収納部（１４０）と、不燃材料により形成され開口部の一方の部屋側の周囲の少なくとも一部に配置され開口部が仕切パネルにより塞がれる際に仕切パネルがはめ込まれる枠部（１３０）と、を有し、仕切パネルが壁に平行に収納部から引き出されさらに一方の部屋側に動かされることにより枠部にはめ込まれて開口部を塞ぎ、仕切パネルが開口部にはめ込まれたときに枠部が部屋から見えなくなるように遮音パッキンを覆い、遮音パッキンが開口部の周囲又は枠部に接することにより開口部を塞いで一対の部屋を互いに遮音する。【選択図】  図１
2014043706.tif 000002
【特許請求の範囲】
【請求項１】
壁及び開口された開口部が間に形成される互いに隣接した一対の部屋において、前記開口部を塞ぐための間仕切システムであって、
周囲に遮音パッキンを有し、前記開口部を塞ぐための仕切パネルと、
前記壁に設置され、前記仕切パネルを収納する収納部と、
不燃材料により形成され、前記開口部の一方の前記部屋側の周囲の少なくとも一部に配置され、前記開口部が前記仕切パネルにより塞がれる際に前記仕切パネルがはめ込まれる枠部と、を有し、
前記仕切パネルは、前記壁に平行に前記収納部から引き出され、さらに前記一方の部屋側に動かされることにより前記枠部にはめ込まれて前記開口部を塞ぎ、
前記仕切パネルが前記開口部にはめ込まれたときに、前記枠部が前記部屋から見えなくなるように前記遮音パッキンを覆い、前記遮音パッキンが前記開口部の周囲又は前記枠部に接することにより前記開口部を塞いで前記一対の部屋を互いに遮音する間仕切システム。
【請求項２】
前記枠部は、前記開口部の周りを囲むように形成されている請求項１に記載の間仕切システム。
【請求項３】
２枚の前記仕切パネルを有し、
前記壁が前記一対の部屋を仕切るように前記開口部の両側にそれぞれ形成され、
前記各仕切パネルを収納する前記収納部が前記各壁にそれぞれ形成され、
前記各仕切パネルは前記壁に平行に連結された後に前記開口部を塞ぐ請求項１又は請求項２に記載の間仕切システム。
【請求項４】
２枚の前記仕切パネルを有し、
前記壁が前記一対の部屋を仕切るように前記開口部の両側にそれぞれ形成され、
前記各仕切パネルを収納する前記収納部が前記各壁にそれぞれ形成され、
前記枠部が前記開口部の他方の前記部屋側の周囲の少なくとも一部にも配置され、
前記各仕切パネルが、前記各枠部にそれぞれはめ込まれることにより前記開口部を塞ぐ請求項１又は請求項２に記載の間仕切システム。
【請求項５】
前記遮音パッキンの一部は前記仕切パネルの上面及び下面に形成されて上下方向に移動し、
前記仕切パネルが前記開口部を塞ぐ際に前記上面及び下面に形成された前記遮音パッキンをそれぞれ上方及び下方に移動して前記仕切パネルを固定する請求項１から請求項４のいずれか一項に記載の間仕切システム。
【請求項６】
前記仕切パネルが、前記仕切パネルの前記部屋に面しない側面に形成されて前記壁に平行に移動するスライド部を有し、
前記遮音パッキンの一部が前記スライド部に形成され、
前記仕切パネルが前記開口部を塞ぐ際に前記スライド部を移動させて前記遮音パッキンを前記枠部に接触させて前記仕切パネルを固定する請求項１から請求項５のいずれか一項に記載の間仕切システム。
【請求項７】
前記遮音パッキンが前記仕切パネルの前記一方の部屋側の面の周囲に形成され、前記遮音パッキンが前記枠部に密着することにより前記開口部が塞がれる請求項２に記載の間仕切りステム
【請求項８】
前記開口部を塞ぐ前記仕切パネルの前記各部屋側にそれぞれ配置され、前記枠部及び前記仕切パネルを隠すための化粧パネルを有する請求項１から請求項７のいずれか一項に記載の間仕切システム。
【請求項９】
前記化粧パネルは、引き戸、開き戸、折戸、又はこれらの機能を組み合わせたパネルである請求項８に記載の間仕切システム。
【発明の詳細な説明】
【技術分野】
【０００１】
本発明は、ホテルやオフィスの室内を仕切る移動式の間仕切システムに関し、特に、遮音性能及び防火性能に優れた間仕切システムに関する。
【背景技術】
【０００２】
ホテル等では、ビジネス客が多い時期には一人用の部屋が多く必要であり、長期休暇の時期には家族連れのため多人数が宿泊できる大きな部屋が多く必要となる。そこで、２つの部屋が廊下側でなく、隣接する壁が開口されて形成される開口部でつながった部屋が形成される場合がある。特許文献１は、開口部を仕切パネルで塞ぐことによりこれらの部屋を２つの部屋として使用することができ、また、開口部から仕切パネルを外すことによりこれらの部屋を１つの部屋として使用することができる旨を開示している。また、仕切パネルの周りに遮音パッキンを形成することにより、開口部を仕切パネルで塞いだときの遮音性能を上げる旨を示している。
【先行技術文献】
【特許文献】
【０００３】
【特許文献１】実用新案登録第３１７０７１３号
【発明の概要】
【発明が解決しようとする課題】
【０００４】
しかし、特許文献１の仕切パネルにおいても遮音性能が不十分な場合があり、さらに遮音性能を向上させたい要望がある。また、火に弱い遮音パッキンが部屋側に露出することにより、仕切パネルの耐火性能が落ちる場合がある。
【０００５】
本発明では、遮音性能及び耐火性能に優れた間仕切システムを提供することを目的とする。
【課題を解決するための手段】
【０００６】
第１観点の間仕切システムは、壁及び開口された開口部が間に形成される互いに隣接した一対の部屋において開口部を塞ぐための間仕切システムであって、周囲に遮音パッキンを有し開口部を塞ぐための仕切パネルと、壁に設置され仕切パネルを収納する収納部と、不燃材料により形成され開口部の一方の部屋側の周囲の少なくとも一部に配置され開口部が仕切パネルにより塞がれる際に仕切パネルがはめ込まれる枠部と、を有し、仕切パネルが壁に平行に収納部から引き出されさらに一方の部屋側に動かされることにより枠部にはめ込まれて開口部を塞ぎ、仕切パネルが開口部にはめ込まれたときに枠部が部屋から見えなくなるように遮音パッキンを覆い、遮音パッキンが開口部の周囲又は枠部に接することにより開口部を塞いで一対の部屋を互いに遮音する。
【０００７】
第２観点の間仕切システムは、第１観点において、枠部が開口部の周りを囲むように形成されている。
【０００８】
第３観点の間仕切システムは、第１観点から第２観点において、２枚の仕切パネルを有し、壁が一対の部屋を仕切るように開口部の両側にそれぞれ形成され、各仕切パネルを収納する収納部が各壁にそれぞれ形成され、各仕切パネルが壁に平行に連結された後に開口部を塞ぐ。
【０００９】
第４観点の間仕切システムは、第１観点から第２観点において、２枚の仕切パネルを有し、壁が一対の部屋を仕切るように開口部の両側にそれぞれ形成され、各仕切パネルを収納する収納部が各壁にそれぞれ形成され、枠部が開口部の他方の部屋側の周囲の少なくとも一部にも配置され、各仕切パネルが各枠部にそれぞれはめ込まれることにより開口部を塞ぐ。
【００１０】
第５観点の間仕切システムは、第１観点から第４観点において、遮音パッキンの一部が仕切パネルの上面及び下面に形成されて上下方向に移動し、仕切パネルが開口部を塞ぐ際に上面及び下面に形成された遮音パッキンをそれぞれ上方及び下方に移動して仕切パネルを固定する。
【００１１】
第６観点の間仕切システムは、第１観点から第５観点において、仕切パネルが、仕切パネルの部屋に面しない側面に形成されて壁に平行に移動するスライド部を有し、遮音パッキンの一部がスライド部に形成され、仕切パネルが開口部を塞ぐ際にスライド部を移動させて遮音パッキンを枠部に接触させて仕切パネルを固定する。
【００１２】
第７観点の間仕切システムは、第２観点において、遮音パッキンが仕切パネルの一方の部屋側の面の周囲に形成され、遮音パッキンが枠部に密着することにより開口部が塞がれる。
【００１３】
第８観点の間仕切システムは、第１観点から第７観点において、開口部を塞ぐ仕切パネルの各部屋側にそれぞれ配置され、枠部及び仕切パネルを隠すための化粧パネルを有する。
【００１４】
第９観点の間仕切システムは、第８観点において、化粧パネルが、引き戸、開き戸、折戸、又はこれらの機能を組み合わせたパネルである。
【発明の効果】
【００１５】
本発明の間仕切システムによれば、遮音性能及び耐火性能を向上させることができる。
【図面の簡単な説明】
【００１６】
【図１】（ａ）は、開口部６０が開口されている間仕切システム１００の概略図である。  （ｂ）は、図１（ａ）の水平方向の断面図である。  （ｃ）は、部屋２０側から見た図１（ａ）における間仕切システム１００の概略図である。
【図２】（ａ）は、開口部６０が仕切パネル１１０で塞がれた間仕切システム１００の概略図である。  （ｂ）は、図２（ａ）の水平方向の断面図である。  （ｃ）は、部屋２０側から見た図２（ａ）における間仕切システム１００の概略図である。
【図３】（ａ）は、図１（ｂ）のＡ−Ａ断面図である。  （ｂ）は、図２（ｂ）のＢ−Ｂ断面図である。
【図４】（ａ）は、開口部６０が化粧パネル１２０で塞がれた間仕切システム１００の概略図である。  （ｂ）は、図４（ａ）の水平方向の断面図である。  （ｃ）は、部屋２０側から見た図４（ａ）における間仕切システム１００の概略図である。
【図５】（ａ）は、枠部１３０及び仕切パネル２１０の部分断面図である。  （ｂ）は、遮音パッキン２１１が枠部１３０に押し当てられた状態の枠部１３０及び仕切パネル２１０の部分断面図である。
【図６】（ａ）は、枠部１３０及び仕切パネル２１０ａの部分断面図である。  （ｂ）は、遮音パッキン２１１ａが枠部１３０に押し当てられた状態の枠部１３０及び仕切パネル２１０ａの部分断面図である。  （ｃ）は、枠部１３０及び仕切パネル２１０ｂの部分断面図である。  （ｄ）は、遮音パッキン２１１ｂが枠部１３０に押し当てられた状態の枠部１３０及び仕切パネル２１０ｂの部分断面図である。
【図７】（ａ）は、枠部１３０及び仕切パネル２１０ｃの部分断面図である。  （ｂ）は、遮音パッキン２１１ｃが枠部１３０に押し当てられた状態の枠部１３０及び仕切パネル２１０ｃの部分断面図である。  （ｃ）は、仕切パネル２１０ｃの上部の部分断面図である。  （ｄ）は、仕切パネル２１０ｃの下部の部分断面図である。
【図８】（ａ）は、部屋２０側から見た間仕切システム３００の概略図である。  （ｂ）は、間仕切システム３００の垂直方向の断面図である。
【図９】（ａ）は、間仕切システム４００の水平方向の断面図である。  （ｂ）は、図９（ａ）のＣ−Ｃ断面図である。
【図１０】（ａ）は、開口部６０が開口された状態の間仕切システム５００の水平方向の断面図である。  （ｂ）は、開口部６０が塞がれた状態の間仕切システム５００の水平方向の断面図である。
【図１１】（ａ）は、開口部６６０が開口された状態の間仕切システム６００の水平方向の断面図である。  （ｂ）は、開口部６６０が塞がれた状態の間仕切システム６００の水平方向の断面図である。
【図１２】（ａ）は、仕切パネル６１０ａの＋Ｘ軸側端部及び仕切パネル６１０ｂの−Ｘ軸側端部の部分断面図である。  （ｂ）は、図１１（ｂ）の点線７７の部分断面図である。
【図１３】（ａ）は、開口部６０が開口した状態の間仕切システム７００の水平方向の概略断面図である。  （ｂ）は、開口部６０が塞がれた間仕切システム７００の水平方向の概略断面図である。
【図１４】（ａ）は、開口部６０が開口している間仕切システム８００の水平方向の概略断面図である。  （ｂ）は、開口部６０が塞がれた間仕切システム８００の水平方向の概略断面図である。
【図１５】（ａ）は、開口部６０が開口している間仕切システム９００の水平方向の概略断面図である。  （ｂ）は、化粧パネル９２０が開く途中の間仕切システム９００の水平方向の概略断面図である。  （ｃ）は、開口部６０が塞がれた間仕切システム９００の水平方向の概略断面図である。
【発明を実施するための形態】
【００１７】
以下、本発明の好適な実施の形態を図面に基づいて詳細に説明する。なお、本発明の範囲は以下の説明において特に本発明を限定する旨の記載がない限り、これらの形態に限られるものではない。
【００１８】
（第１実施形態）
＜間仕切システム１００の構成＞
図１（ａ）は、開口部６０が開口されている間仕切システム１００の概略図である。図１（ａ）では、右側手前に床面３０及び天井面４０を有する部屋１０が示され、左側の奥に部屋２０が示されている。部屋１０と部屋２０とは隣接した一対の部屋となっている。部屋１０と部屋２０との間には、壁５０（図１（ｂ）参照）及び部屋１０と部屋２０との間に形成され互いの部屋を往来するために開口されている開口部６０が形成されている。間仕切システム１００は、開口部６０を塞ぐことにより互いに隣接する２つの部屋の間を仕切り、又は開口部６０を開口することにより互いに隣接する２つの部屋の間を繋げて１つの部屋として使用するためのシステムである。図１（ａ）では、開口部６０が開口されている状態が示されている。また、図１（ａ）には、壁５０（図１（ｂ）参照）に沿って配置され、間仕切システム１００の一部である化粧パネル１２０が示されている。以下の説明では、床面３０から天井面４０に向かう方向を＋Ｚ軸方向、部屋２０から部屋１０へ向かう方向を＋Ｙ軸方向、化粧パネル１２０に平行な方向でありＹ軸方向及びＺ軸方向に垂直な方向をＸ軸方向として説明する。
【００１９】
図１（ｂ）は、図１（ａ）の水平方向の断面図である。図１（ｂ）には、部屋１０と部屋２０との間に形成されている壁５０、及び壁５０の一部が開口されることにより形成される開口部６０が示されている。また、開口部６０の−Ｘ軸側の壁５０に沿って、仕切パネル１１０及び化粧パネル１２０が配置されている。仕切パネル１１０は壁５０の間に形成される収納部１４０に収納されており、化粧パネル１２０は壁５０の部屋１０側及び部屋２０側にそれぞれ配置されている。また、開口部６０の部屋２０側には、枠部１３０が形成されている。間仕切システム１００は、仕切パネル１１０と、化粧パネル１２０と、枠部１３０と、を含んで形成されている。仕切パネル１１０は、収納部１４０に収納された状態から＋Ｘ軸方向に引き出され（矢印７０）、その後、部屋２０側に動かされて（矢印７１）枠部１３０にはめ込まれることにより、開口部６０を塞ぐ。
【００２０】
図１（ｃ）は、部屋２０側から見た図１（ａ）における間仕切システム１００の概略図である。枠部１３０は、開口部６０の部屋２０側の側面及び上部に沿って開口部６０を囲むように形成されている。また、枠部１３０は不燃材料により形成されている。
【００２１】
図２（ａ）は、開口部６０が仕切パネル１１０で塞がれた間仕切システム１００の概略図である。間仕切システム１００により開口部６０を塞ぐ場合には、まず、仕切パネル１１０により開口部６０が塞がれる。図２（ａ）では、仕切パネル１１０が収納部１４０より引き出されて開口部６０が塞がれた状態が示されている。
【００２２】
図２（ｂ）は、図２（ａ）の水平方向の断面図である。仕切パネル１１０は、図１（ｂ）の矢印７０及び矢印７１に従って動かされて枠部１３０にはめ込まれる。仕切パネル１１０の＋Ｘ軸側及び−Ｘ軸側の側面には遮音パッキン１１１が形成されており、仕切パネル１１０の遮音パッキン１１１が枠部１３０に接して枠部１３０にはめ込まれることで仕切パネル１１０が枠部１３０に固定され、部屋１０と部屋２０との間の遮音性能が向上される。仕切パネル１１０は、例えば炭素鋼、ステンレス鋼、合金鋼を含む鉄鋼材料、又はアルミニウム、真鍮などの金属材料等の不燃材料により形成される。また、仕切パネル１１０は、不燃材料により形成されなくとも、表面を不燃材料により覆って使用しても良い。
【００２３】
図２（ｃ）は、部屋２０側から見た図２（ａ）における間仕切システム１００の概略図である。枠部１３０にはめ込まれた仕切パネル１１０は、遮音パッキン１１１及び仕切パネル１１０の上面に形成される遮音パッキン１１４（図３（ｂ）参照）が部屋２０側から見えないように覆われる。遮音パッキンは、例えば樹脂又は天然ゴム等の火に弱い素材により形成されることが多い。しかし、図２（ｃ）に示されるように、火に弱い遮音パッキン１１１及び遮音パッキン１１４が枠部１３０により隠されることで、間仕切システム１００の耐火性能が向上する。
【００２４】
図３（ａ）は、図１（ｂ）のＡ−Ａ断面図である。仕切パネル１１０は壁５０に挟まれた収納部１４０に収納されている。仕切パネル１１０の上面には仕切パネル１１０をスライドさせるためのランナー１１６が配置されており、ランナー１１６は天井面４０に取り付けられたガイドレール１５１に保持されている。また、仕切パネル１１０の上面及び下面には遮音パッキン１１４が配置されている。仕切パネル１１０が収納部１４０に収納されているときには、仕切パネル１１０の移動の妨げにならないように、遮音パッキン１１４は床面３０及び天井面４０に接触していない。また、化粧パネル１２０の上面にはランナー１２１が配置されており、ランナー１２１はガイドレール１５２に保持されている。化粧パネル１２０の下面にはガイドローラ１２２が配置されており、ガイドローラ１２２は化粧パネル１２０の移動を補助している。
【００２５】
図３（ｂ）は、図２（ｂ）のＢ−Ｂ断面図である。図３（ｂ）に示される仕切パネル１１０は、枠部１３０にはめ込まれた状態になっている。仕切パネル１１０は仕切パネル１１０が枠部１３０に収まった後に、仕切パネル１１０の上面及び下面に配置された遮音パッキン１１４をそれぞれ上方及び下方に動かして遮音パッキン１１４をそれぞれ天井面４０及び床面３０に接触させる。これにより、仕切パネル１１０の＋Ｚ軸側及び−Ｚ軸側における隙間が遮音パッキン１１４で塞がれるため、部屋１０と部屋２０との間の遮音性能が向上される。また、枠部１３０が、仕切パネル１１０の上面に取り付けられた遮音パッキン１１４を部屋２０側に対して隠すように形成されている。このような遮音パッキン１１４は、例えば、仕切パネル１１０の内部に形成される駆動軸１１５に繋がって形成される。駆動軸１１５は上下固定部１１８に繋げられており、仕切パネル１１０の側面に取り付けられているパネルカバー１１７を取り外し、上下固定部１１８をスパナ等の工具を使用して回転させ駆動軸１１５を上下に動かすことで、遮音パッキン１１４を上下に移動させることができるようにすることができる。また、遮音パッキン１１４は、仕切パネル１１０にハンドル（不図示）を取り付けてハンドルを回転させることにより、遮音パッキン１１４を上下に移動させるように形成されても良い。
【００２６】
図４（ａ）は、開口部６０が化粧パネル１２０で塞がれた間仕切システム１００の概略図である。化粧パネル１２０は、仕切パネル１１０、枠部１３０、及び収納部１４０等の間仕切システム１００の一部を隠すためのパネルである。仕切パネル１１０、枠部１３０、及び収納部１４０等が見えている状態では室内の美観が損なわれる。また、仕切パネル１１０が見えている状態では隣室と通じていることが明らかとなるため、隣室の宿泊者が気になり、部屋の居心地が悪くなる場合がある。化粧パネル１２０には、仕切パネル１１０、枠部１３０、及び収納部１４０等を隠すことにより、隣室との間に開口部６０が形成されていることを宿泊客に認識させないようにすることで部屋の居住性を向上させることを目的としている。図４（ａ）では、化粧パネル１２０により仕切パネル１１０が部屋１０から見えないように隠された状態が示されている。
【００２７】
図４（ｂ）は、図４（ａ）の水平方向の断面図である。化粧パネル１２０は引き戸であり、図２（ｂ）の位置から＋Ｘ軸方向に引かれて移動させられることにより、仕切パネル１１０の部屋１０側及び部屋２０側にそれぞれ配置される。これにより、部屋１０側及び部屋２０側から仕切パネル１１０が隠されることになる。
【００２８】
図４（ｃ）は、部屋２０側から見た図４（ａ）における間仕切システム１００の概略図である。部屋２０においても化粧パネル１２０により、枠部１３０及び仕切パネル１１０が隠されている。化粧パネル１２０は鍵（不図示）がかけられるなどすることにより、容易に動かないように固定されることが望ましい。また、化粧パネル１２０の部屋側の側面にハンガー、フックを設ける等のことにより、化粧パネル１２０がより機能的に利用されても良い。
【００２９】
間仕切システム１００は、上記のように、隣接した部屋の間に開口部６０を形成して２つの部屋を１つの部屋として使用することができる（図１（ａ）参照）。また、開口部６０を仕切パネル１１０及び化粧パネル１２０により塞いで仕切ることにより、隣接した部屋をそれぞれ異なる宿泊客に使用させることができる（図３（ａ）参照）。このとき、仕切パネル１１０により隣接した部屋は仕切パネル１１０及び遮音パッキン１１１、１１４により互いに遮音される。また、仕切パネル１１０の上面及び下面に形成される遮音パッキン１１４が天井面３０及び床面４０に強く押し当てられ、仕切パネル１１０が枠部１３０にきっちりとはめ込まれて遮音パッキン１１１が枠部１３０に強く押し当てられる場合には、部屋１０と部屋２０との間の隙間がより多く塞がれるため遮音性能が向上する。また仕切パネル１１０は音と共に煙も通しにくい。そのため、仕切パネル１１０及び枠部１３０を不燃材料により構成する、又は表面を不燃材料により覆うこと等により仕切パネル１１０を防煙壁とすることができる。
【００３０】
一方、間仕切システム１００では、火に弱い遮音パッキン１１１、１１４が枠部１３０で隠されている。そのため、遮音パッキン１１１、１１４が隠されている部屋２０で火災等が発生した場合でも、遮音パッキン１１１、１１４が枠部１３０で守られているため、部屋２０から部屋１０への火災の延焼の時間を遅らせることができる。すなわち、間仕切システム１００では防火性能が向上されている。
【００３１】
（第２実施形態）
間仕切システムでは、仕切パネルの遮音パッキンを枠部等に強く押し当てることで開口部６０の隙間をさらに無くし、遮音性能を向上させることができる。以下に遮音性能が向上された間仕切システム２００について説明する。また、以下の説明では、第１実施形態と同じ部分に関しては同じ記号を付してその説明を省略する。
【００３２】
＜間仕切システム２００の構成＞
図５（ａ）は、枠部１３０及び仕切パネル２１０の部分断面図である。図５（ａ）は、図２（ｂ）の点線７２に相当する箇所の間仕切システム２００における断面図である。間仕切システム２００は、仕切パネル２１０と、化粧パネル１２０と、枠部１３０と、を含んでいる。仕切パネル２１０の＋Ｘ軸側及び−Ｘ軸側の側面にはＸ軸方向に可動のスライド部２１２が形成されている。スライド部２１２はＺ軸方向に仕切パネル２１０と同じ長さに形成されており、その側面には遮音パッキン２１１が形成されている。仕切パネル２１０は、図１（ｂ）に示された仕切パネル１１０と同様に、収納部１４０から＋Ｘ軸方向に引き出され（矢印７０）、−Ｙ軸方向に移動させられる（矢印７１）ことにより枠部１３０にはめ込まれる。仕切パネル２１０が枠部１３０にはめ込まれた時点では、スライド部２１２の側面に形成される遮音パッキン２１１が枠部１３０に接触しない。そのため、仕切パネル２１０を容易に枠部１３０にはめ込むことができる。
【００３３】
図５（ｂ）は、遮音パッキン２１１が枠部１３０に押し当てられた状態の枠部１３０及び仕切パネル２１０の部分断面図である。図５（ｂ）では、仕切パネル２１０の−Ｘ軸側のスライド部２１２が−Ｘ軸方向に動かされることにより遮音パッキン２１１が枠部１３０に押し当てられている。また、仕切パネル２１０の＋Ｘ軸側のスライド部２１２（不図示）も＋Ｘ軸方向に動かされることにより遮音パッキン２１１が枠部１３０に押し当てられる。これらのスライド部２１２は、仕切パネル２１０の内部に形成される駆動軸２１３に接続されている。図３（ｂ）の駆動軸１１５と同様に、駆動軸２１３をスパナ等の工具を使用して、又はハンドルを取り付けるなどしてＸ軸方向に駆動させることにより、スライド部２１３を動かすことができる。
【００３４】
間仕切システム２００では、遮音パッキン２１１を枠部１３０に強く押し当てて仕切パネル２１０を保持することによって、開口部６０をより密封するように塞ぐことができる。そのため、仕切パネル２１０による遮音性能が向上される。
【００３５】
＜仕切パネル２１０ａ、仕切パネル２１０ｂの構成＞
仕切パネル２１０では、スライド部と仕切パネルの本体との間の隙間が密閉されることにより、さらに仕切パネルの遮音性能を向上することができる。以下に、スライド部と仕切パネルの本体との間の隙間が密閉される仕切パネル２１０ａ及び仕切パネル２１０ｂについて説明する。
【００３６】
図６（ａ）は、枠部１３０及び仕切パネル２１０ａの部分断面図である。図６（ａ）に示される仕切パネル２１０ａは、図５（ａ）に示される仕切パネル２１０と同様の部分の断面図が示されている。仕切パネル２１０ａは、Ｘ軸方向に可動のスライド部２１２ａを有している。スライド部２１２ａには、枠部１３０に押し当てられるための遮音パッキン２１１ａが形成されている。また、仕切パネル２１０ａの本体には遮音パッキン２１４が形成され、スライド部２１２ａには遮音パッキン２１５が形成されている。遮音パッキン２１４及び遮音パッキン２１５はともに仕切パネル２１０ａの本体内部に配置されており、遮音パッキン２１１ａが枠部１３０に接していない場合には、遮音パッキン２１４と遮音パッキン２１５とは互いに接していない。
【００３７】
図６（ｂ）は、遮音パッキン２１１ａが枠部１３０に押し当てられた状態の枠部１３０及び仕切パネル２１０ａの部分断面図である。仕切パネル２１０ａが枠部１３０にはめ込まれた状態で、スライド部２１２ａが駆動軸２１３により仕切パネル２１０ａのＸ軸方向外側に押し出される。これにより、遮音パッキン２１１ａが枠部１３０に強く押し当てられる。これと同時に、遮音パッキン２１４と遮音パッキン２１５とが互いに強く押し当てられる。遮音パッキン２１４と遮音パッキン２１５とが互いに強く押し当てられることによりスライド部２１２ａと仕切パネル２１０ａの本体との間が密封されるため、仕切パネル２１０ａの遮音性能が向上される。
【００３８】
図６（ｃ）は、枠部１３０及び仕切パネル２１０ｂの部分断面図である。仕切パネル２１０ｂは、Ｘ軸方向に可動のスライド部２１２ｂ、スライド部２１２ｂに形成され枠部１３０に押し当てられるための遮音パッキン２１１ｂ、及びスライド部２１２ｂと仕切パネル２１０ｂの本体との間に配置される遮音パッキン２１６を有している。遮音パッキン２１６はＺ軸方向に長く伸びる円筒状の形状を有している。
【００３９】
図６（ｄ）は、遮音パッキン２１１ｂが枠部１３０に押し当てられた状態の枠部１３０及び仕切パネル２１０ｂの部分断面図である。スライド部２１２ｂが駆動軸２１３により仕切パネル２１０ｂのＸ軸方向外側に押し出される過程では、遮音パッキン２１６はスライド部２１２ｂの移動に従って回転する。これにより、仕切パネル２１０ｂの本体とスライド部２１２ｂとの間は常に遮音パッキン２１６により密閉された状態が保持されるため、仕切パネル２１０ｂの遮音性能が向上される。
【００４０】
＜仕切パネル２１０ｃの構成＞
仕切パネルでは、枠部１３０に押し当てられる遮音パッキンの両側に、外部からの熱等を防ぐための防火シールドを形成しても良い。以下に、防火シールドを有する仕切パネル２１０ｃについて説明する。
【００４１】
図７（ａ）は、枠部１３０及び仕切パネル２１０ｃの部分断面図である。仕切パネル２１０ｃは、Ｚ軸方向に伸びるスライド部２１２ｃを有している。スライド部２１２ｃには、枠部１３０に押し当てられるための遮音パッキン２１１ｃ、及び遮音パッキン２１１ｃを保護するための防火シールド２１７が取り付けられている。遮音パッキン２１１ｃ及び防火シールド２１７はスライド部２１２ｃに沿ってＺ軸方向に伸びるように形成されている。防火シールド２１７はバネ２１８を介して遮音パッキン２１１ｃの＋Ｙ軸側及び−Ｙ軸側に取り付けられている。また、図７（ａ）において、防火シールド２１７の−Ｘ軸側の先端は、遮音パッキン２１１ｃの先端よりも−Ｘ軸側になるように配置されている。
【００４２】
図７（ｂ）は、遮音パッキン２１１ｃが枠部１３０に押し当てられた状態の枠部１３０及び仕切パネル２１０ｃの部分断面図である。スライド部２１２ｃが駆動軸２１３により仕切パネル２１０ｃのＸ軸方向外側に押し出される過程では、はじめに防火シールド２１７の先端が枠部１３０に接触する。スライド部２１２ｃがさらに押し出されることにより、バネ２１８が縮み防火シールド２１７の先端が枠部１３０に強く押し当てられる。また、これと同時に、遮音パッキン２１１ｃが枠部１３０に強く押し当てられる。
【００４３】
図７（ｃ）は、仕切パネル２１０ｃの上部の部分断面図である。仕切パネル２１０ｃの上面には遮音パッキン１１４が形成されている。仕切パネル２１０ｃでは、この上面に形成される遮音パッキン１１４の＋Ｙ軸側及び−Ｙ軸側にもバネ２１８を介して防火シールド２１７が形成されている。防火シールド２１７は、遮音パッキン１１４が天井面４０に接触していないときには防火シールド２１７の＋Ｚ軸側の先端が遮音パッキン１１４よりも＋Ｚ軸側になるように配置され、遮音パッキン１１４が天井面４０に押し当てられたときには図７（ｃ）に示されるように防火シールド２１７もバネ２１８により天井面４０に押し当てられる。
【００４４】
図７（ｄ）は、仕切パネル２１０ｃの下部の部分断面図である。仕切パネル２１０ｃの
下面には遮音パッキン１１４が形成されている。仕切パネル２１０ｃでは、この下面に形成される遮音パッキン１１４の＋Ｙ軸側及び−Ｙ軸側にもバネ２１８を介して防火シールド２１７が形成されている。防火シールド２１７は、遮音パッキン１１４が床面３０に接触していないときには防火シールド２１７の−Ｚ軸側の先端が遮音パッキン１１４よりも−Ｚ軸側になるように配置され、遮音パッキン１１４が床面３０に押し当てられたときには図７（ｄ）に示されるように防火シールド２１７もバネ２１８により床面３０に押し当てられる。
【００４５】
仕切パネル２１０ｃでは、仕切パネル２１０ｃが枠部１３０にはめ込まれたときに、火等の熱に弱い遮音パッキン２１１ｃ及び遮音パッキン１１４が防火シールド２１７により外部からの熱などから保護される。そのため、仕切パネル２１０ｃの耐火性能が向上されている。
【００４６】
（第３実施形態）
枠部は、底面に形成されていても良い。以下に枠部が底面にも形成された間仕切システム３００及び間仕切システム４００に関して説明する。また、以下の説明では、第１実施形態及び第２実施形態と同じ部分に関しては同じ記号を付してその説明を省略する。
【００４７】
＜間仕切システム３００の構成＞
図８（ａ）は、部屋２０側から見た間仕切システム３００の概略図である。間仕切システム３００は、仕切パネル１１０と、化粧パネル１２０と、枠部３３０と、を含んでいる。枠部３３０は、開口部６０の周りを囲むように、開口部６０の部屋２０側の側面、上部、及び下部に形成されている。
【００４８】
図８（ｂ）は、間仕切システム３００の垂直方向の断面図である。図８（ｂ）には、図２（ｂ）のＢ−Ｂ断面に相当する断面の断面図が示されている。間仕切システム３００の枠部３３０は、開口部６０の上部及び下部に形成されている。これにより、仕切パネル１１０の上部及び下部の遮音パッキン１１４と部屋２０との間に枠部３３０が形成されることになり、上部及び下部の遮音パッキン１１４が部屋２０側からの熱などから保護される。そのため、間仕切システム３００の耐火性能が向上される。
【００４９】
＜間仕切システム４００の構成＞
図９（ａ）は、間仕切システム４００の水平方向の断面図である。間仕切システム４００は、仕切パネル４１０と、化粧パネル１２０と、枠部３３０と、を含んでいる。仕切パネル４１０の−Ｙ軸側の面には、仕切パネル４１０の周りを囲うように遮音パッキン４１１が形成されている。仕切パネル４１０は、遮音パッキン４１１が枠部３３０に押し当てられた状態で枠部３３０にはめ込まれる。また、枠部３３０には仕切パネル４１０を枠部３３０に固定するための錠部３３１が形成されていても良い。錠部３３１は例えばクレセント錠等により形成することができ、錠部３３１により仕切パネル４１０を枠部３３０に固定することで仕切パネル４１０の枠部３３０への密着度を高め、遮音性能及び防煙性能を高めることができる。
【００５０】
図９（ｂ）は、図９（ａ）のＣ−Ｃ断面図である。仕切パネル４１０の上部及び下部に形成されている遮音パッキン３１１も枠部３３０に押し当てられる。これにより、枠部３３０の周り全体が遮音パッキン３１１で塞がれるため、遮音性能及び防煙性能が向上される。
【００５１】
（第４実施形態）
間仕切システムは、２枚の仕切パネルを含んでいても良い。以下に２枚の仕切パネルを有する間仕切システム５００及び間仕切システム６００について説明する。また、以下の説明では、第１実施形態から第３実施形態と同じ部分に関しては同じ記号を用いてその説明を省略する。
【００５２】
＜間仕切システム５００の構成＞
図１０（ａ）は、開口部６０が開口された状態の間仕切システム５００の水平方向の断面図である。間仕切システム５００は、仕切パネル１１０及び仕切パネル５１０と、２枚の化粧パネル１２０と、開口部６０の周りに形成される枠部１３０及び枠部５３０と、を有している。開口部６０の−Ｘ軸側の壁５０には収納部１４０が形成されて仕切パネル１１０が配置され、開口部６０の＋Ｘ軸側の壁５０には収納部５４０が形成されて仕切パネル５１０が配置されている。仕切パネル１１０と仕切パネル５１０とは同形状に形成されており、仕切パネル１１０に形成される遮音パッキン１１１と仕切パネル５１０に形成される遮音パッキン５１１も同形状である。また、枠部５３０が開口部６０の部屋１０側の側面及び上部に沿って形成されている。枠部５３０は枠部１３０に対して面対称になるように形成されている。仕切パネル１１０は、収納部１４０に収納された状態から＋Ｘ軸方向に引き出され（矢印７０）、その後、部屋２０側に動かされて（矢印７１）枠部１３０にはめ込まれる。また、仕切パネル５１０が、収納部１４０に収納された状態から−Ｘ軸方向に引き出され（矢印７３）、その後、部屋１０側に動かされて（矢印７４）枠部５３０にはめ込まれる。さらに、化粧パネル１２０が開口部６０を塞ぐように移動させられることにより、開口部６０が塞がれる。
【００５３】
図１０（ｂ）は、開口部６０が塞がれた状態の間仕切システム５００の水平方向の断面図である。仕切パネル１１０の遮音パッキン１１１が枠部１３０により部屋２０側に対して保護されるのと同様に、仕切パネル５１０の遮音パッキン５１１が枠部５３０により部屋１０側に対して保護されている。間仕切システム５００では、開口部６０を仕切パネル１１０及び仕切パネル５１０の２枚の仕切パネルにより２重に塞ぐことにより、間仕切システム５００全体の遮音性能及び防火性能を向上させている。
【００５４】
＜間仕切システム６００の構成＞
図１１（ａ）は、開口部６６０が開口された状態の間仕切システム６００の水平方向の断面図である。間仕切システム６００は、２枚の仕切パネルをＸ軸方向に連結して部屋１０と部屋２０との間に形成される開口部６６０を塞ぐためのシステムである。間仕切システム６００は、仕切パネル６１０ａ及び仕切パネル６１０ｂと、４枚の化粧パネル１２０と、開口部６６０の部屋２０側の周りに形成される枠部６３０と、を有している。開口部６６０の−Ｘ軸側及び＋Ｘ軸側にはそれぞれ収納部６４０ａ及び収納部６４０ｂが形成されており、各収納部にはそれぞれ仕切パネル６１０ａ及び仕切パネル６１０ｂが収納されている。仕切パネル６１０ａの−Ｘ軸側の側面、及び仕切パネル６１０ｂの＋Ｘ軸側及び−Ｘ軸側の側面には遮音パッキン６１１が形成されている。また、開口部６６０の＋Ｘ軸側及び−Ｘ軸側の壁５０の部屋１０側及び部屋２０側の側面には、それぞれ化粧パネル１２０が配置されている。開口部６６０を塞ぐ場合には、まず、仕切パネル６１０ａ及び仕切パネル６１０ｂをそれぞれ開口部６６０側に引き出す（矢印７５ａ及び矢印７５ｂ）。そして２枚の仕切パネルを連結させた後に−Ｙ軸方向に移動させて、仕切パネルを枠部６３０にはめ込む（矢印７６）。最後に、開口部６６０を塞ぐように化粧パネル１２０を開口部６６０側に引き出す。
【００５５】
図１１（ｂ）は、開口部６６０が塞がれた状態の間仕切システム６００の水平方向の断面図である。図１１（ｂ）では、開口部６６０が、Ｘ軸方向に互いに連結された仕切パネル６１０ａ及び仕切パネル６１０ｂの遮音パッキン６１１が枠部６３０に接触することにより塞がれている。また、枠部６３０に接触する遮音パッキン６１１は、枠部６３０により覆われることで保護されている。開口部は広く形成される場合があり、又は図１のように１枚の仕切パネルを収納する収納部を形成するための十分なスペースがない場合がある。間仕切システム６６０は、このような場合でも、図１１（ｂ）に示されるように遮音性能及び防火性能を備えた状態で開口部６６０を塞ぐことができる。
【００５６】
図１２（ａ）は、仕切パネル６１０ａの＋Ｘ軸側端部及び仕切パネル６１０ｂの−Ｘ軸側端部の部分断面図である。仕切パネル６１０ｂの−Ｘ軸側の側面には遮音パッキン６１１が形成されている。また、仕切パネル６１０ａの＋Ｘ軸側の側面には仕切パネル６１０ｂの遮音パッキン６１１を受けるための受板６１２が形成されている。
【００５７】
図１２（ｂ）は、図１１（ｂ）の点線７７の部分断面図である。仕切パネル６１０ａと仕切パネル６１０ｂとの連結では、仕切パネル６１０ｂの−Ｘ軸側の側面の遮音パッキン６１１が、仕切パネル６１０ａの＋Ｘ軸側の側面の受板６１２に接触する。これにより、仕切パネル６１０ａと仕切パネル６１０ｂとが連結する部分である連結部６１３における遮音性能及び防煙性能が向上している。また、仕切パネル６１０ａと仕切パネル６１０ｂとが連結したときに遮音パッキン６１１が仕切パネル６１０ａの内部に収納される。これにより、遮音パッキン６１１が外部からの熱等から保護されるため、間仕切システム６００の耐火性能が向上されている。
【００５８】
（第５実施形態）
開口部を塞いでいないときの化粧パネルは、様々な状態及び形態で配置されることができる。以下に、化粧パネルの変形例について説明する。また、以下の説明では、第１実施形態から第４実施形態と同じ部分に関しては同じ記号を用いてその説明を省略する。
【００５９】
＜間仕切システム７００の構成＞
図１３（ａ）は、開口部６０が開口した状態の間仕切システム７００の水平方向の概略断面図である。間仕切システム７００は、仕切パネル１１０と、一対の化粧パネル７２０と、枠部１３０と、を有している。また、図１３（ａ）では、開口部６０の＋Ｘ軸側の壁７５０がＹ軸方向に伸びるように形成されている。一対の化粧パネル７２０は、開口部６０の＋Ｘ軸側の壁７５０に沿ってそれぞれ開口部６０の部屋１０側及び部屋２０側に配置されている。各化粧パネル７２０は開き戸であり、開口部６０側の端部が回転可能に固定されている。開口部６０を塞ぐ場合は、まず、仕切パネル１１０が＋Ｘ軸側に引き出され（矢印７０）、さらに−Ｙ軸側に移動させられて（矢印７１）枠部１３０にはめ込まれる。その後、各化粧パネル７２０を回転させて（矢印７８）、開口部６０を塞ぐ。
【００６０】
図１３（ｂ）は、開口部６０が塞がれた間仕切システム７００の水平方向の概略断面図である。開口部６０は、間仕切システム１００と同様の状態で、間仕切システム７００により塞がれる。そのため、間仕切システム７００は間仕切システム１００と同様の遮音性能、防煙性能、及び耐火性能を有する。
【００６１】
＜間仕切システム８００の構成＞
図１４（ａ）は、開口部６０が開口している間仕切システム８００の水平方向の概略断面図である。間仕切システム８００は、仕切パネル１１０と、一対の化粧パネル８２０と、枠部１３０と、を有している。また、図１４（ａ）では、開口部６０の＋Ｘ軸側にＸ軸方向に伸びる壁５０が形成されており、さらにその＋Ｘ軸側にＹ軸方向に伸びる壁７５０が形成されている。一対の化粧パネル８２０は開き戸及び引き戸の機能が組み合わされたパネルであり、壁７５０に沿ってそれぞれ部屋１０側及び部屋２０側に配置されている。開口部６０を塞ぐ場合は、まず、仕切パネル１１０が＋Ｘ軸側に引き出されて（矢印７０）−Ｙ軸側に移動され（矢印７１）、枠部１３０にはめ込まれる。その後、各化粧パネル８２０を壁５０に沿うように回転させ（矢印７８）、さらに−Ｘ軸方向にスライドさせて（矢印７９）開口部６０を塞ぐ。
【００６２】
図１４（ｂ）は、開口部６０が塞がれた間仕切システム８００の水平方向の概略断面図である。開口部６０は、間仕切システム１００と同様の状態で、間仕切システム８００により塞がれる。そのため、間仕切システム８００は間仕切システム１００と同様の遮音性能、防煙性能、及び耐火性能を有する。
【００６３】
＜間仕切システム９００の構成＞
図１５（ａ）は、開口部６０が開口している間仕切システム９００の水平方向の概略断面図である。間仕切システム９００は、仕切パネル１１０と、一対の化粧パネル９２０と、枠部１３０と、を有している。また、図１５（ａ）では、開口部６０の＋Ｘ軸側の壁７５０がＹ軸方向に伸びるように形成されている。一対の化粧パネル９２０は折戸であり、開口部６０の＋Ｘ軸側の壁７５０に沿ってそれぞれ開口部６０の部屋１０側及び部屋２０側に２つに折り畳まれた状態で配置されている。開口部６０を塞ぐ場合は、まず、仕切パネル１１０が＋Ｘ軸側に引き出されて（矢印７０）−Ｙ軸側に移動され（矢印７１）、枠部１３０にはめ込まれる。
【００６４】
図１５（ｂ）は、化粧パネル９２０が開く途中の間仕切システム９００の水平方向の概略断面図である。仕切パネル１１０が枠部１３０にはめ込まれた後に、各化粧パネル９２０が開口部６０を塞ぐように動かされる。各化粧パネル９２０は、２枚の板により構成され、互いの板は蝶番等でつながれており、一方の板が動かされると、それに連動して他方の板も動かされる。そのため、化粧パネル９２０の−Ｘ軸側の端部を−Ｘ軸方向に動かすことにより化粧パネル９２０が開く（矢印８０）。
【００６５】
図１５（ｃ）は、開口部６０が塞がれた間仕切システム９００の水平方向の概略断面図である。各化粧パネル９２０が開ききることにより、開口部６０の＋Ｙ軸側及び−Ｙ軸側が化粧パネル９２０で塞がれる。開口部６０は、間仕切システム１００と同様の状態で塞がれるため、間仕切システム８００は間仕切システム１００と同様の遮音性能、防煙性能、及び耐火性能を有する。
【００６６】
以上、本発明の最適な実施形態について詳細に説明したが、当業者に明らかなように、本発明はその技術的範囲内において実施形態に様々な変更・変形を加えて実施することができる。また、以上の第１実施形態から第５実施形態はそれぞれ組み合わされて使用されることができる。
【符号の説明】
【００６７】
１０、２０  …  部屋
３０  …  床面
４０  …  天井面
５０、７５０  …  壁
６０、６６０  …  開口部
１００、２００、３００、４００、５００、６００、７００、８００、９００  …  間仕切システム
１１０、２１０、２１０ａ、２１０ｂ、２１０ｃ、４１０、５１０、６１０ａ、６１０ｂ  …  仕切パネル
１１１、１１４、２１１、２１１ａ、２１１ｂ、２１１ｃ、２１４、２１５、２１６、４１１、５１１、６１１  …  遮音パッキン
１１５、２１３  …  駆動軸
１１６、１２１  …  ランナー
１１７  …  パネルカバー
１１８  …  上下固定部
１２０、７２０、８２０、９２０  …  化粧パネル
１２２  …  ガイドローラ
１３０、３３０、５３０、６３０  …  枠部
１４０、５４０、６４０ａ、６４０ｂ  …  収納部
１５１、１５２  …  ガイドレール
２１２、２１２ａ、２１２ｂ、２１２ｃ  …  スライド部
２１７  …  防火シールド
２１８  …  バネ
３３１  …  錠部
６１２  …  受板
６１３  …  連結部
【図１】
2014043706.tif 000003
【図２】
2014043706.tif 000004
【図３】
2014043706.tif 000005
【図４】
2014043706.tif 000006
【図５】
2014043706.tif 000007
【図６】
2014043706.tif 000008
【図７】
2014043706.tif 000009
【図８】
2014043706.tif 000010
【図９】
2014043706.tif 000011
【図１０】
2014043706.tif 000012
【図１１】
2014043706.tif 000013
【図１２】
2014043706.tif 000014
【図１３】
2014043706.tif 000015
【図１４】
2014043706.tif 000016
【図１５】
2014043706.tif 000017